(57)【要約】本発明は、携帯用電灯装置に関するものである。本発明の携帯用電灯装置は、本体、１つ以上のカラーフィルタ、入力ジャッキ、及び出力ジャッキを含む。上記本体は光源を備える。上記カラーフィルタは上記光源の照射領域に移動可能に備えられる。入力ジャッキ及び出力ジャッキは本体内に備えられた充電部側に接続される。
2010518556.tif 000002
【特許請求の範囲】
【請求項１】
光源を備えた本体と、
前記光源の照射領域に移動可能に備えられた１つ以上のカラーフィルタと、
前記本体内に備えられた充電部側に接続された入力ジャッキ及び出力ジャッキと、
を含むことを特徴とする携帯用電灯装置。
【請求項２】
前記カラーフィルタは、前記本体側に形成されたガイド通路に沿って移動して、前記光源の照射領域をカバーすることを特徴とする請求項１に記載の携帯用電灯装置。
【請求項３】
前記カラーフィルタは、前記本体の一側に回動可能にヒンジ結合されて光源の照射領域をカバーすることを特徴とする請求項１に記載の携帯用電灯装置。
【請求項４】
前記本体は電源を自家発電する自家発電ユニットを更に含み、前記自家発電ユニットは前記本体の充電部と接続することを特徴とする請求項１に記載の携帯用電灯装置。
【発明の詳細な説明】
【技術分野】
【０００１】
本発明は、懐中電灯、ランタンのような携帯用電灯装置に関し、より詳しくは、多様なカラーのカラーフィルタを介して照射される照明のカラーをより多様に設定することができ、また外部電源からの充電をより容易にすることができる携帯用電灯装置に関する。
【背景技術】
【０００２】
一般的に電灯装置とは、電気を使用する燈火の総称であって、このような電灯装置の中で、使用者の携帯が簡便な携帯用電灯装置は、家庭で停電時に非常用に使われたり、釣りまたは山登りなどのレジャー活動時に夜間の視界を確保するために使われる。そして、このような携帯用電灯装置は乾電池または充電池などと別途のバッテリを用いてその電源の供給を受ける。
【０００３】
このような携帯用電灯装置には、探検電灯、ポケットライト（pocket light）、懐中電灯などがあり、探検電灯にはフォーカシング（focusing）という遠距離を照らすために自由に光の焦点が調整できるものがあり、また放水式の携帯電灯が一般家庭用に、また海難時における救命灯または水中電灯、使用が容易な集魚灯としても使われている。特殊な用途としては、黄色または赤色光が点滅する危険信号用信号灯や３色にカラーが変わる３色信号灯などがある。
【０００４】
このような携帯用電灯装置は、その使用時間が経過するにつれてバッテリが放電されるので、新たなバッテリに交替しなければならない使用上の不便性があるので、最近は携帯用電灯装置に自家発電構造を内蔵した多様な製品が市場に発表されている趨勢である。
【０００５】
一方、従来の携帯用電灯装置は、軍事的な用途または遭難信号などを表示するために光源の光を照射する部分に多様なカラーのカラーフィルタを取り付けて使用しており、このようなカラーフィルタは別途に携帯したり、または携帯用電灯装置の一側に収納部を備えて保管する構造からなった。
【０００６】
これによって、従来の携帯用電灯装置は、カラーフィルタの紛失または破損の危険があるので、カラー照明を必要とする場合には適切に使用できないという短所があった。
【発明の概要】
【発明が解決しようとする課題】
【０００７】
本発明は、上記のような点を勘案して案出したものであって、カラーフィルタの紛失または破損の危険無しで、必要の場合に、より容易にカラーフィルタを使用することができるようにする携帯用電灯装置を提供することをその目的とする。
【０００８】
また、本発明の他の目的は、外部電源の入力が容易であるので、その電源充電が非常に容易な携帯用電灯装置を提供することにある。
【課題を解決するための手段】
【０００９】
上記の目的を達成するための本発明の携帯用電灯装置は、
光源を備えた本体と、上記光源の照射領域に移動可能に備えられた１つ以上のカラーフィルタと、上記本体内に備えられた充電部側に接続された入力ジャッキ及び出力ジャッキと、を含む。
【００１０】
上記カラーフィルタは、上記本体側に形成されたガイド通路に沿って移動して上記光源の照射領域をカバーすることができる。
【００１１】
代案として、上記カラーフィルタは、上記本体の一側に回動可能にヒンジ結合されて光源の照射領域をカバーすることができる。
【００１２】
上記本体は、電源を自家発電する自家発電ユニットを更に含み、上記自家発電ユニットは上記本体の充電部と接続する。
【００１３】
本発明の特徴及び利点は、以下の詳細な説明及び添付された図面により明確になる。本発明の詳細な説明を読む前に、本発明の明細書と請求範囲に使われた用語または単語は、一般的な意味や辞典的定義のみにより理解されてはならず、本発明者が自分の発明を最もよく説明できる方法により用語の概念を定義することができるという原則に立脚して、本発明の技術的思想に符合する概念を表出する意味として理解されなければならないということを言及する。
【発明の効果】
【００１４】
上記のような本発明は、カラーフィルタが本体側に摺動したり回動可能にヒンジ結合されて光源の照射領域をカバーすることができる構造からなることによって、カラーフィルタの紛失または破損の危険無しで、必要な場合に、より容易にカラーフィルタを使用することができるようにする効果がある。
【００１５】
また、本発明は自家発電ユニットの発電機に接続された充電ジャッキが本体の一側に外部に露出されるように備えられることによって、携帯用電灯装置の自体充電だけでなく、携帯電話のような別途の携帯用電子製品の電源充電を容易にすることができる長所がある。
【図面の簡単な説明】
【００１６】
【図１】本発明の一実施形態に係る電灯装置を示す斜視図である。
【図２】図１のＡ−Ａ線による断面図である。
【図３】本発明の一実施形態に係る電灯装置の正断面図である。
【図４】本発明の他の実施形態に係る電灯装置の正面図である。
【図５】本発明の他の実施形態に係る電灯装置の正断面図である。
【符号の説明】
【００１７】
１０    本体
１１    光源
１２    カラーフィルタ
２０、３０    自家発電ユニット
【発明を実施するための形態】
【００１８】
本発明の上記のような、そしてその他の目的、特徴、及び利点は、次の詳細な説明により、一層明らかになる。
【００１９】
以下、本発明の好ましい実施形態を添付した図面を参照しつつ詳細に説明する。
【００２０】
まず、図面の全体に亘って同一または類似の構成要素には同一な図面符号を与える。本発明の明細書では、関連した周知の機能または構造に関する説明は本発明の要旨を曖昧にすることを避けるために省略した。
【００２１】
図１乃至図３は、本発明の一実施形態に係る携帯用電灯装置を示す。
【００２２】
図示したように、本発明の携帯用電灯装置は、光源１１を備えた本体１０、光源１１の照射領域をカバーする１つ以上のカラーフィルタ１２、及び上記本体１０内に備えられた充電部４０に接続された入力ジャッキ２５ａ及び出力ジャッキ２５ｂを含む。
【００２３】
本体１０は、その一側端部に光源１１を含み、上記光源１１は、ＬＥＤ、フィラメント電球のような１つ以上の発光体１１ａを具備し、発光体１１ａの前面には照射レンズ１１ｂが備えられる。照射レンズ１１ｂは、透明または半透明材質からなり、発光体１１ａの照射領域に近接して配置される。そして、照射レンズ１１ｂは多様な曲面を有する凸レンズ、凸及び凹レンズが組み合わせた構造のような多様な形態のレンズが適用可能であり、このような照射レンズ１１ｂは、発光体１１ａの光をより広い照射範囲に拡散させたり、発光体１１ａの光を狭い範囲に集中させて照射することができる。
【００２４】
また、本体１０の一側には光源１１をオン・オフするオン・オフスイッチ１０ａが備えられている。
【００２５】
１つ以上のカラーフィルタ１２は、図１及び図２に示すように、光源１１の照射領域をカバーするように本体１０側に摺動可能に設置できる。
【００２６】
カラーフィルタ１２、１２’は、赤色、青色、黄色のように、多様なカラーが着色され、光の透過率が高く、耐熱及び耐光性が良好なフレキシブル材質からなることができる。
【００２７】
このような柔軟な材質のカラーフィルタ１２、１２’は、図２に示すように、本体１０側に形成されたガイド通路１３に沿って摺動可能であり、その外側端部には使用者の把持が容易な把持部１２ａ、１２’ａを具備することができる。
【００２８】
一方、図２に示すように、本体１０の両側に互いに異なるカラーのカラーフィルタ１２、１２’が設置されて、光源１１の照射領域を選択的にカバーすることにより、本発明の電灯装置は多様な種類のカラー照明を照射することができる。
【００２９】
また、互いに異なるカラーのカラーフィルタ１２、１２’が重畳可能に摺動できる構造からなることもできる。
【００３０】
本発明の他の実施形態に係るカラーフィルタ４２、４２’は、その一側端部が図４に示すように、本体１０の一側に回動可能にヒンジ結合されて、光源１１の照射領域をカバーするように構成されることもできる。
【００３１】
そして、本体１０はそのどの一側または両側面に受容溝１７、１７’が形成され、この受容溝１７、１７’に本体１０側に回動されるカラーフィルタ４２、４２’が受容されて、外部への露出を防止することもできる。
【００３２】
カラーフィルタ４２、４２’は、その自由端部に１つ以上の係止突起４２ａ、４２ｃ、４２’ａ、４２’ｃを具備し、これに対応して本体１０側には係止溝４２ｂ、４２ｄ、４２’ｂ、４２’ｄが形成され、これによって、各カラーフィルタ４２、４２’が受容溝１７、１７’側に回動されるか、または光源１１の照射領域側に回動されると、上記係止突起４２ａ、４２ｃ、４２’ａ、４２’ｃが係止溝４２ｂ、４２ｄ、４２’ｂ、４２’ｄに係止結合されることにより、その回動状態が維持できる。
【００３３】
本体１０内には外部電源または内部電源により電源が充電される充電部４０を具備し、この充電部４０には車両のシガーライターソケットまたはその他の外部電源が連結されて電源が充電できる入力ジャッキ２５ａを具備する。このような入力ジャッキ２５ａは、ＵＳＢポート、ＰＣＩポート、その他のシガーライターソケット形態のように、多様な構造からなることができ、このような入力ジャッキ２５ａを介して多様な外部の電源装置を通じて、その電源の入力を受けて充電できる長所がある。
【００３４】
そして、充電部４０には出力ジャッキ２５ｂが接続でき、この出力ジャッキ２５ｂはＵＳＢポート、ＰＣＩポートのように、多様な構造からなることができ、この出力ジャッキ２５ｂを介して携帯電話、または携帯用オーディオ及び／またはビデオ装置などの充電を容易に遂行することによって、その使用の便宜性を大幅増進させる長所がある。
【００３５】
即ち、本発明は入力ジャッキ２５ａを介して外部電源を充電部４０に入力を受けて、簡便に電源が充電できる長所があり、また出力ジャッキ２５ｂを介して充電部４０の充電された電源を外部の電子製品側に出力して充電させることができる長所がある。
【００３６】
また、本発明の電灯装置は、その電源を自家発展して充電部４０に充電させることができる自家発電ユニット２０、３０を更に含むことができる。
【００３７】
このような自家発電ユニット２０の一例が図３に例示されており、この自家発電ユニット２０は本体１０の内部に備えられた発電機２１を含み、上記発電機２１には充電部４０が接続される。
【００３８】
そして、発電機２１にはギア列２６が連結され、このギア列２６には回転軸２４が連結され、回転軸２４には回転レバー２２が回動可能にヒンジ結合２２ａされ、この回転軸２４の自由端部には取っ手２３が備えられる。
【００３９】
また、本体１０側には回転レバー２２がそのヒンジ点２２ａを通じて本体１０側に回動される場合、上記回転レバー２２及び取っ手２３が受容できる受容溝１８が形成される。これによって、本発明の回転レバー２２及び取っ手２３は本体１０の一側に隠蔽可能に設置できる。
【００４０】
このような自家発電ユニット２０の構成により、図３に示すように、回転レバー２２を矢印Ｂ方向に回動させた後、取っ手２３を取って回転レバー２２を矢印Ｃ方向またはその反対方向に回転させれば、回転軸２４が回転しながらその回転力がギア列２６を通じて発電機２１に伝えられて、これによって発電機２１は所定の電気エネルギーを発生させ、このように発生された電気エネルギーは充電部４０に伝えられて充電される。
【００４１】
一方、自家発電ユニット３０の他の例は、図５に例示されており、この自家発電ユニット３０は充電部４０が接続された発電機３１が本体１０内に備えられ、この発電機３１には軸を媒介にピニオン３６が連結され、このピニオン３６にはラック３５が噛合され、このラック３５には駆動紐３４が連結され、上記ラック３５はスプリングのような弾性部材３２により復帰され、上記駆動紐３４の端部には取っ手３３が備えられた構造からなることができる。
【００４２】
このような自家発電ユニット３０の構成により、図５に示すように、取っ手３３を矢印Ｄ方向に引いてから放すと、弾性部材３２によりラック３５が直線往復動しながらピニオン３６を両方向に回転させ、これによって、ピニオン３６の回転力は発電機３１側に伝えられ、発電機３１は電気エネルギーを発生させ、このように発生された電気エネルギーは充電部４０に伝えられて充電できる。
【００４３】
上記のような本発明の自家発電ユニット２０、３０は、図３及び図５に例示された構造に限定されず、その他の多様な構造からなることができる。
【００４４】
本発明は上記の実施形態及び添付された図面により限定されず、本発明の技術的思想から外れない範囲内で当業者に多様な変形と変化が可能であることは明らかである。したがって、そのような変形または変化は本発明の請求範囲に属するものと理解されるべきである。
【図１】
2010518556.tif 000003
【図２】
2010518556.tif 000004
【図３】
2010518556.tif 000005
【図４】
2010518556.tif 000006
【図５】
2010518556.tif 000007
【国際調査報告】
2010518556.tif 000008
2010518556.tif 000009